(57)【要約】【課題】  小型軽量で且つ低ランニングコストで棺内を冷却することができる棺冷却装置を提供すること。【解決手段】  筐体３内に、吸熱部９Ａ近傍に熱交換器としての吸熱用ヒートシンク１２が伝熱的に接続されたスターリング冷凍機９と、吸入口６から気流を吸入して吹出口７から気流を吹出する送風機１７とを設け、この送風機１７による気流を前記吸熱用ヒートシンク１２で冷却するように構成された冷却ユニット２を、前記吸入口６と吹出口７が棺Ｃと接続されるように取り付けることで、前記棺Ｃ内空間、ひいてはこの棺Ｃ内に納められた遺体を冷却することができるばかりでなく、比較的小型で且つ低消費電力である前記スターリング冷凍機９を用いているので、棺冷却装置１を小型軽量で且つ低消費電力とすることができる。【選択図】図２
2006263237.tif 000002
【特許請求の範囲】
【請求項１】
筐体と、
この筐体に設けられた吹出口及び吸入口と
前記筐体内に設けられたスターリング冷凍機と、
このスターリング冷凍機の吸熱部近傍に伝熱的に接続された熱交換器と、
気流を形成すると共に、この形成された気流と前記熱交換器との間で熱交換させるために設けられた送風機とを有し、
前記吹出口と吸入口が棺と接続されると共に、
前記送風機が、前記棺内の空間から前記吸入口を経て前記筐体内に気流を吸入した後、前記吹出口を経て前記棺内の空間へ気流を吹出するように構成した冷却ユニットを有することを特徴とする棺冷却装置。
【請求項２】
前記冷却ユニットが前記棺に対して着脱自在に接続されていることを特徴とする請求項１記載の棺冷却装置。
【請求項３】
前記スターリング冷凍機及び送風機を作動させる電池が設けられていることを特徴とする請求項１乃至２記載の棺冷却装置。
【請求項４】
第二筐体と、
この第二筐体に設けられた第二吹出口及び第二吸入口と、
前記第二筐体内に設けられた第二送風機とを有し、
この第二送風機が、前記棺内の空間から前記第二吸入口を経て前記第二筐体内に気流を吸入した後、前記第二吹出口を経て前記棺内の空間へ気流を吹出するように構成した循環ユニットを有することを特徴とする請求項１乃至３記載の棺冷却装置。
【請求項５】
前記冷却ユニットが、前記棺の長さ方向の一端部に接続されると共に、前記循環ユニットが、前記棺の長さ方向の他端部に接続されることを特徴とする請求項４記載の棺冷却装置。
【請求項６】
前記循環ユニットが前記棺に対して着脱自在に接続されていることを特徴とする請求項４乃至５記載の棺冷却装置。
【発明の詳細な説明】
【技術分野】
【０００１】
本発明は、葬儀等の際に遺体を納める棺を冷却して、死臭の発生や遺体の腐敗を防止する棺冷却装置に関するものである。
【背景技術】
【０００２】
従来、棺に納められた遺体を冷却する用途として、固体二酸化炭素や蓄冷材等が用いられていた。しかしながら、固体二酸化炭素を用いる場合、この固体二酸化炭素が周囲の気化熱を奪って昇華することで周囲の冷却を行っているので、周囲の気温の高い夏季等には棺内の固体二酸化炭素がすぐに失われてしまい、固体二酸化炭素を頻繁に供給しなければならず、手間がかかるばかりでなく、費用が嵩むという問題があった。また、二酸化炭素は燃焼を妨げるので、火葬の際に棺から取り出さなければならず、手間がかかるという問題があった。更に、二酸化炭素が地球温暖化の原因物質であることから、固体二酸化炭素を大量に使用することには問題があった。また、蓄冷材を用いる場合も、周囲の気温の高い夏季等には棺内の蓄冷材に貯えられた冷熱がすぐに失われてしまい、蓄冷材を頻繁に交換しなければならず、手間がかかるという問題があった。
【０００３】
これらの問題を解決するため、棺内を電気的に冷却する棺冷却装置が従来出願されている。これらの棺冷却装置としては、例えば、コンプレッサーを用いた冷却装置によって棺内を冷却するものが知られている（例えば、特許文献１参照。）。また、ペルチェ効果を応用したサーモモジュールを用いた冷却装置によって棺内を冷却するものも知られている（例えば、特許文献２参照。）。
【特許文献１】特開平８−１６８５１０号公報
【特許文献２】特開２００１−１２４４５２号公報
【発明の開示】
【発明が解決しようとする課題】
【０００４】
しかしながら、前者のような棺冷却装置においては、コンプレッサーが比較的大型であるため、棺冷却装置が大型化してしまい、広い設置面積が必要になってしまうばかりでなく、消費電力が比較的大きいため、故人が亡くなってから荼毘に付されるまでの間に、遺体を保存するために消費される電力が大きくなってしまうという問題があった。また、コンプレッサーの発生させる音が比較的大きいので、このコンプレッサーを使用した棺冷却装置が、葬儀等の厳粛な場をうるさくしてしまうおそれがあった。また、後者のような棺冷却装置においては、サーモモジュール自体が比較的小型であるため、コンプレッサー式に比べて棺冷却装置を比較的小型にできるものの、サーモモジュール自体が比較的消費電力が大きいものである上、棺内の広い空間及び遺体を冷却するにはサーモモジュール自体の冷却能力が不足しているので、現実的にはサーモモジュールを複数使用しなければならず、消費電力が益々大きくなってしまうという問題があった。
【０００５】
本発明は以上の問題点を解決し、小型軽量で且つ低ランニングコストで棺内を冷却することができる棺冷却装置を提供することを目的とする。
【課題を解決するための手段】
【０００６】
本発明の請求項１に記載の棺冷却装置は、筐体と、この筐体に設けられた吹出口及び吸入口と、前記筐体内に設けられたスターリング冷凍機と、このスターリング冷凍機の吸熱部近傍に伝熱的に接続された熱交換器と、気流を形成すると共にこの形成された気流と前記熱交換器との間で熱交換させるために設けられた送風機とを有し、前記吹出口と吸入口が棺と接続されると共に、前記送風機が、前記棺内の空間から前記吸入口を経て前記筐体内に気流を吸入した後、前記吹出口を経て前記棺内の空間へ気流を吹出するように構成した冷却ユニットを有することを特徴とするものである。
【０００７】
また、本発明の請求項２に記載の棺冷却装置は、請求項１において、前記冷却ユニットが前記棺に対して着脱自在に接続されていることを特徴とするものである。
【０００８】
また、本発明の請求項３に記載の棺冷却装置は、請求項１乃至２において、前記スターリング冷凍機及び送風機を作動させる電池が設けられていることを特徴とするとするものである。
【０００９】
また、本発明の請求項４に記載の棺冷却装置は、請求項１乃至３において、第二筐体と、この第二筐体に設けられた第二吹出口及び第二吸入口と、前記第二筐体内に設けられた第二送風機とを有し、この第二送風機が、前記棺内の空間から前記第二吸入口を経て前記第二筐体内に気流を吸入した後、前記第二吹出口を経て前記棺内の空間へ気流を吹出するように構成した循環ユニットを有することを特徴とするものである。
【００１０】
また、本発明の請求項５に記載の棺冷却装置は、請求項４において、前記冷却ユニットが、前記棺の長さ方向の一端部に接続されると共に、前記循環ユニットが、前記棺の長さ方向の他端部に接続されることを特徴とするものである。
【００１１】
更に、本発明の請求項６に記載の棺冷却装置は、請求項４乃至５において、前記循環ユニットが前記棺に対して着脱自在に接続されていることを特徴とするものである。
【発明の効果】
【００１２】
本発明の請求項１に記載の棺冷却装置は、以上のように構成することにより、前記冷却ユニットの筐体の吹出口と吸入口を棺に接続し、前記送風機によって前記棺内空間から吸入口を経て前記筐体内に吸引された気流を、前記スターリング冷凍機の吸熱部近傍に伝熱的に接続された前記熱交換器に通し、この熱交換器と気流との間で熱交換を行って気流を冷却し、この冷却された気流を、前記筐体内から前記吹出口を経て前記棺内空間に送ることで、前記棺内空間、ひいてはこの棺内に納められた遺体を冷却することができる。そして、前記冷却ユニットが比較的小型で且つ低消費電力である前記スターリング冷凍機を用いているので、棺冷却装置を小型軽量で且つ低消費電力とすることができる。
【００１３】
また、本発明の請求項２に記載の棺冷却装置は、以上のように構成することにより、葬儀が終了した後でも、前記冷却ユニットを他の棺に対して容易に再使用することができる。
【００１４】
また、本発明の請求項３に記載の棺冷却装置は、以上のように構成することにより、棺を移動させる場合、或いは火葬場における火葬炉の前等の電源を確保することが難しい場所であったとしても、前記電池から供給される電力によって棺内を冷却し続けることができる。
【００１５】
また、本発明の請求項４に記載の棺冷却装置は、以上のように構成することにより、前記循環ユニットの第二筐体の第二吹出口と第二吸入口を棺に接続し、前記第二送風機によって前記棺内空間から第二吸入口を経て前記第二筐体内に吸引された気流を、前記第二筐体内から前記第二吹出口を経て前記棺内空間に送ることで、前記冷却ユニットから前記棺内空間に送られた冷気を良好に前記棺内空間に巡らせることができ、これによって、前記棺内空間、ひいてはこの棺内に納められた遺体を良好に冷却することができる。
【００１６】
また、本発明の請求項５に記載の棺冷却装置は、以上のように構成することにより、前記冷却ユニットと循環ユニットが前記棺の長さ方向の両端部に位置することになるので、前記冷却ユニットによる冷気を前記棺内空間の隅々に満遍なく巡らせることができる。
【００１７】
更に、本発明の請求項６に記載の棺冷却装置は、以上のように構成することにより、葬儀が終了した後でも、前記循環ユニットを他の棺に対して容易に再使用することができる。
【発明を実施するための最良の形態】
【００１８】
以下、本発明の第一の実施形態について、図１乃至図４に基づいて説明する。１は棺冷却装置である。この棺冷却装置１は、冷却ユニット２によって構成されている。なお、この冷却ユニット２は、棺Ｃの長さ方向における一端部Ｃ１に対して着脱自在に取り付けられている。
【００１９】
前記棺冷却装置１を構成する冷却ユニット２について詳述する。前記冷却ユニット２を構成する筐体３における前記棺Ｃの一端部Ｃ１と対向する面には、一対の貫通穴４，５が形成されている。そして、これらの貫通穴４，５から突設して、吸入口６と吹出口７とが設けられていると共に、これらの吸入口６と吹出口７とを接続するように、通風路８が設けられている。なお、前記吸入口６と吹出口７は、前記棺Ｃの一端部Ｃ１に形成された接続穴Ｃ２，Ｃ３に対応しており、これらの接続穴Ｃ２，Ｃ３に、それぞれ前記吸入口６と吹出口７が挿入されるように構成されている。また、前記筐体３内には、スターリング冷凍機９が設けられている。このスターリング冷凍機９は、上方に気流入口１０Ａが形成された略円筒状の支持ケーシング１０に収容された状態で前記筐体３内に設けられていると共に、吸熱部９Ａ側が前記通風路８に形成された貫通穴８Ａを通って前記通風路８内に露出している。また、前記スターリング冷凍機９の吸熱部９Ａ近傍には伝熱ブロック１１が伝熱的に取り付けられていると共に、この伝熱ブロック１１に対して熱交換器としての吸熱用ヒートシンク１２が伝熱的に取り付けられている。また、前記スターリング冷凍機９の排熱部９Ｂ近傍には、排熱用フィン１３が伝熱的に取り付けられている。なお、この排熱用フィン１３は、前記支持ケーシング１０の気流入口１０Ａの内側に位置している。更に、前記支持ケーシング１０の下方側面には気流出口１０Ｂが形成されていると共に、この気流出口１０Ｂに、前記支持ケーシング１０内から空気を排出するための排熱用送風機１４が取り付けられている。そして、この送風機１４が前記筐体３の外面に設けられた排気口１５の内側に位置するように、前記支持ケーシング１０が前記筐体３内に設けられている。また、前記通風路８内には、活性炭等の脱臭材１６が設けられていると共に、前記通風路８内における前記吹出口７の直前には、送風機１７が設けられている。更に、前記筐体３には、吸気口１８と、扉体１９と、操作パネル２０が設けられている。そして、前記筐体３の内部には、前記扉体１９から出し入れできるように、電池としての二次電池２１が収容されている。また、前記筐体３の内部には、前記操作パネル２０に対応して制御回路２２が設けられている。なお、２３は前記吸入接続口６の内側に設けられた温度センサである。
【００２０】
次に、本実施形態の作用について説明する。まず、葬儀業者等は、予め前記棺Ｃの長さ方向における一端部Ｃ１に接続穴Ｃ２，Ｃ３を形成する。そして、これらの接続穴Ｃ２，Ｃ３に前記吸入口６と吹出口７を挿入して前記冷却ユニット２を前記棺Ｃの一端部Ｃ１に取り付ける。そして、前記棺Ｃ内に遺体を納め、蓋を閉める。この状態において、前記冷却ユニット２は、前記吸入口８と吹出口９によって、遺体が納められた前記棺Ｃ内の空間と連通することになる。
【００２１】
そして、図示しない電源コードを図示しない電源に接続し、前記操作パネル２０に設けられたスイッチを操作することで、前記制御回路２２によって、前記スターリング冷凍機９、前記排熱用送風機１４及び前記送風機１７が作動する。なお、前記スターリング冷凍機９は、前記温度センサ２３からの信号に基づいて、前記制御回路２２によって駆動制御される。そして、前記スターリング冷凍機９が作動すると、このスターリング冷凍機９の吸熱部９Ａの近傍が低温になると共に、前記スターリング冷凍機９の排熱部９Ｂの近傍が高温になる。このように前記吸熱部９Ａの近傍が低温になることで、この吸熱部９Ａの近傍に対して伝熱的に取り付けられた伝熱ブロック１１を介して、前記吸熱用ヒートシンク１２に冷熱が移動する。また、前記排熱部９Ｂの近傍の熱は、前記排熱用フィン１３に移動する。そして、前記排熱用送風機１４が作動することで、外気が前記冷却ユニット２の筐体３の外部から前記吸気口１８を経て前記筐体３内に流入し、前記支持ケーシング１０の気流入口１０Ａから前記支持ケーシング１０内に流入し、更に、前記気流出口１０Ｂに取り付けられた前記排熱用送風機１４によって、前記排気口１５から前記筐体３外に放出される。この際、前述したように、前記排熱用フィン１３が前記支持ケーシング１０の気流入口１０Ａの内側に位置していることで、前記吸気口１８から前記気流入口１０Ａを経て前記支持ケーシング１０に流入した外気が、前記排熱用フィン１３から熱を奪い、前記排気口１５から前記筐体３の外部へ排出する。一方、前記送風機１７が作動することで、前記棺Ｃ内の空間から前記吸入口６を経て前記通風路８内に空気が吸引される。この際、前記温度センサ２３によって、前記棺Ｃ内の空気の温度が測定される。そして、この吸引された空気は、前記通風路８内の前記脱臭材１６を通過し、遺体から発生する死臭等が除去される。また、前記脱臭材１６を通過して脱臭された空気は、前記吸熱用ヒートシンク１２を通過し、この際、前記空気が持つ熱が前記吸熱用ヒートシンク１２によって奪われる。（言い換えると、前記吸熱用ヒートシンク１２が持つ冷熱が前記空気に奪われる。）更に、前記吸熱用ヒートシンク１２を通過して冷却された空気は、前記送風機１７によって、前記吹出口７から前記棺Ｃ内の空間へ放出される。
【００２２】
このように、前記スターリング冷凍機９によって冷却された空気が前記吹出口７から前記棺Ｃ内の空間へ放出されることで、前記棺Ｃに納められた遺体から発生する死臭を抑えると共に、遺体の損傷を防止することができる。なお、前記スターリング冷凍機９は、比較的低い消費電力で低温まで冷却することができるので、前記冷却ユニット２、ひいては前記棺冷却装置１の消費電力を低く抑えることができる。
【００２３】
このため、電源を確保することが難しい場所や地域（火葬場の火葬炉前や災害地域）、状態（停電時）、又は霊柩車等によって遺体を移動させる際等に使用する場合、前記二次電池２１からの電力によって前記スターリング冷凍機９、前記排熱用送風機１４及び前記送風機１７を長時間作動させることができる。これは、前述したように、前記スターリング冷凍機９が比較的低い消費電力で作動可能であることによって、このようなことが可能となる。
【００２４】
以上のように本発明は、筐体３内に、吸熱部９Ａ近傍に熱交換器としての吸熱用ヒートシンク１２が伝熱的に接続されたスターリング冷凍機９と、吸入口６から気流を吸入して吹出口７から気流を吹出するように設けられた送風機１７とを設け、この送風機１７によって作り出された気流と前記吸熱用ヒートシンク１２との間で熱交換を行って前記気流を冷却するように構成された冷却ユニット２を、前記吸入口６と吹出口７が棺Ｃと接続されるように取り付けることで、前記棺Ｃ内空間から前記送風機１７によって吸入口６を経て前記筐体３内に吸引された気流を冷却し、この冷却された気流を、前記筐体３内から前記吹出口７を経て前記棺Ｃ内空間に送ることで、前記棺Ｃ内空間、ひいてはこの棺Ｃ内に納められた遺体を冷却することができるばかりでなく、比較的小型で且つ低消費電力である前記スターリング冷凍機９を用いているので、棺冷却装置１を小型軽量で且つ低消費電力とすることができるものである。
【００２５】
また本発明は、前記冷却ユニット２が前記棺Ｃに対して着脱自在に接続されていることで、火葬前に前記冷却ユニット２を前記棺Ｃから取り外し、他の葬儀の際に他の棺Ｃに対して取り付けることで、前記冷却ユニット２を他の棺Ｃに対して容易に再使用することができるものである。
【００２６】
更に本発明は、前記スターリング冷凍機９及び送風機１７を作動させるための電池としての二次電池２１を設けたことで、棺を移動させる場合や電源を確保することが難しい場合でも、前記二次電池２１から供給される電力によって、前記棺Ｃ内を長時間冷却し続けることができるものである。
【００２７】
次に、本発明の第二の実施形態について、図４乃至図６に基づいて説明する。なお、上述した第一の実施形態と共通する部分については、共通の符号を付し、その説明を省略する。２４は棺冷却装置である。この棺冷却装置２４は、冷却ユニット２と、循環ユニット２５とで構成されている。なお、前記冷却ユニット２は、棺Ｃの長さ方向における一端部Ｃ１に対して着脱自在に取り付けられていると共に、前記循環ユニット２５は、前記棺Ｃの長さ方向における他端部Ｃ４に対して着脱自在に取り付けられている。
【００２８】
前記棺冷却装置２４を構成する循環ユニット２５について詳述する。前記循環ユニット２５を構成する第二筐体２６における前記棺Ｃの他端部Ｃ４と対向する面には、一対の貫通穴２７，２８が形成されている。そして、これらの貫通穴２７，２８から突設して、第二吸入口２９と第二吹出口３０とが設けられていると共に、これらの第二吸入口２９と第二吹出口３０とを接続するように、第二通風路３１が設けられている。なお、前記第二吸入口２９と第二吹出口３０は、前記棺Ｃの他端部Ｃ４に形成された接続穴Ｃ５，Ｃ６に対応しており、これらの接続穴Ｃ５，Ｃ６に、それぞれ前記第二吸入口２９と第二吹出口３０が挿入されるように構成されている。また、前記第二通風路３１内には、活性炭等の脱臭材３２が設けられていると共に、前記第二通風路３１内における前記吹出口３０の直前には、第二送風機３３が設けられている。なお、前記循環ユニット２５は、図示しない電源コードによって、前記冷却ユニット２に接続されている。
【００２９】
次に、本実施形態の作用について説明する。まず、葬儀業者等は、予め前記棺Ｃの長さ方向における一端部Ｃ１に接続穴Ｃ２，Ｃ３を形成すると共に、前記棺Ｃの長さ方向における他端部Ｃ４に接続穴Ｃ５，Ｃ６を形成する。そして、これらの接続穴Ｃ２，Ｃ３に前記吸入口６と吹出口７を挿入して前記冷却ユニット２を前記棺Ｃの一端部Ｃ１に取り付けると共に、前記接続穴Ｃ５，Ｃ６に前記第二吸入口２９と第二吹出口３０を挿入して前記循環ユニット２５を前記棺Ｃの他端部Ｃ４に取り付ける。そして、前記棺Ｃ内に遺体を納め、蓋を閉める。この状態において、前記冷却ユニット２は、前記吸入口８と吹出口９によって、遺体が納められた前記棺Ｃ内の空間と連通すると共に、前記循環ユニット２５も、前記第二吸入口２９と第二吹出口３０によって、前記棺Ｃ内の空間と連通することになる。
【００３０】
そして、図示しない電源コードを図示しない電源に接続し、前記操作パネル２０に設けられたスイッチを操作することで、前記冷却ユニット２が作動し、前記棺Ｃ内の空間から前記吸入口６を経て前記通風路８内に空気が吸引され、この空気が前記吸熱用ヒートシンク１２を通過して冷却され、この冷却された空気が、前記送風機１７によって、前記吹出口７から前記棺Ｃ内の空間へ放出される。また、前記第二送風機３３が作動することで、前記棺Ｃ内の空間から前記第二吸入口２９を経て前記第二通風路３１内に空気が吸引される。そして、この吸引された空気は、前記第二通風路３１内の前記脱臭材３２を通過し、遺体から発生する死臭等が除去される。更に、前記脱臭材３２を通過して脱臭された空気は、前記第二送風機３３によって、前記第二吹出口３０から前記棺Ｃ内の空間へ放出される。そして、このように前記循環ユニット２５が作動することで、図６に示すように、前記冷却ユニット２の吹出口７から放出された冷気が、前記棺Ｃの長さ方向における一端部Ｃ１から他端部Ｃ４に流れ、前記第二吸入口２９から前記循環ユニット２５に吸引され、更に前記第二吹出口３０から放出された冷気が前記棺Ｃの長さ方向における他端部Ｃ４から一端部Ｃ１に流れ、前記吸入口６から前記冷却ユニット２に吸引される循環気流Ｆが形成される。そして、このような循環気流Ｆが形成されることによって、前記冷却ユニット２によって冷却された空気を前記棺Ｃ内の隅々まで満遍なく行き渡らせて冷却することができるので、遺体の損傷を効果的に防止することができる。
【００３１】
以上のように本発明は、第二吸入口２９から気流を吸入して第二吹出口３０から気流を吹出する第二送風機３３が第二筐体２６内に設けられた循環ユニット２５を、前記第二吸入口２９と第二吹出口３０が棺Ｃと接続されるように取り付けることで、前記冷却ユニット２から前記棺Ｃ内空間に送られた冷気を、前記第二送風機によって前記第二吸入口２９から吸入し、前記第二吹出口３０から吹出することで、冷気を良好に前記棺Ｃ内空間に巡らせることができ、これによって、前記棺Ｃ内空間、ひいてはこの棺Ｃ内に納められた遺体を良好に冷却することができるものである。
【００３２】
また本発明は、前記冷却ユニット２を前記棺Ｃの長さ方向における一端部Ｃ１に接続すると共に、前記循環ユニット２５を前記棺Ｃの長さ方向における他端部Ｃ４に接続したことで、前記冷却ユニット２と循環ユニット２５が前記棺Ｃの長さ方向における両端に位置することになるので、前記冷却ユニット２による冷気を前記棺Ｃ内空間の隅々に満遍なく巡らせることができるものである。
【００３３】
更に本発明は、前記冷却ユニット２及び循環ユニット２５が前記棺Ｃに対して着脱自在に接続されていることで、火葬前に前記冷却ユニット２と循環ユニット２５を前記棺Ｃから取り外し、他の葬儀の際に他の棺Ｃに対して取り付けることで、前記冷却ユニット２及び循環ユニット２５を他の棺Ｃに対して容易に再使用することができるものである。
【００３４】
なお、本発明は以上の実施形態に限定されるものではなく、発明の要旨の範囲内で種々の変形実施が可能である。例えば、上記実施形態では、前記電池として二次電池を用いたが、その他の電池、例えば一次電池や燃料電池などを用いても良い。また、上記実施形態において、前記電池は筐体内に設けられているが、前記電池を可搬型とし、前記筐体に対して外付けするように構成してもよい。
【図面の簡単な説明】
【００３５】
【図１】本発明の第一の実施形態を示す棺冷却装置の外観図であり、（ａ）は棺に取り付けた状態を示す正面図、（ｂ）は同平面図、（ｃ）は同左側面図である。
【図２】同上、棺冷却装置を構成する冷却ユニットのＸ−Ｘ断面図である。
【図３】同上、棺冷却装置を構成する冷却ユニットのＹ−Ｙ断面図である。
【図４】本発明の第二の実施形態を示す棺冷却装置の外観図であり、（ａ）は棺に取り付けた状態を示す正面図、（ｂ）は同平面図である。
【図５】同上、棺冷却装置を構成する循環ユニットのＺ−Ｚ断面図である。
【図６】同上、棺冷却装置と棺の内部における気流の循環を示す説明図である。
【符号の説明】
【００３６】
１  棺冷却装置
２  冷却ユニット
３  筐体
６  吸入口
７  吹出口
９  スターリング冷凍機
９Ａ  吸熱部
１２  吸熱用ヒートシンク（熱交換器）
１７  送風機
２１  二次電池（電池）
２４  棺冷却装置
２５  循環ユニット
２６  第二筐体
２９  第二吸入口
３０  第二吹出口
３３  第二送風機
Ｃ  棺
Ｃ１  一端部
Ｃ４  他端部
【図１】
2006263237.tif 000003
【図２】
2006263237.tif 000004
【図３】
2006263237.tif 000005
【図４】
2006263237.tif 000006
【図５】
2006263237.tif 000007
【図６】
2006263237.tif 000008